(57)【要約】【課題】映像描画回路の必要数を最小としかつ回路構成を簡素化することが可能なマルチディスプレイシステムをえる。【解決手段】映像表示部（１１、２１）、映像描画回路（１２０、２２０）、映像切換え回路（１３、２３）、および外部入力に基づいて前記映像描画回路の駆動を制御するとともに前記映像切換え回路における映像の切換えを制御する制御部（１４、２４）を備える２個のディスプレイ（１、２）を含むマルチディスプレイシステムにおいて、第１のディスプレイ（１）の映像描画回路（１２０）は第１および第２の描画機能を備え、第２のディスプレイ（２）の映像描画回路は第１の描画機能を備え、各映像描画回路（１２０、２２０）は他方のディスプレイの各切換え回路（１３、２３）を介して他方のディスプレイの映像表示部（１１、２１）に接続され、さらに各制御部（１４、２４）は他方のディスプレイの制御部に描画要求を送信する機能を備える。【選択図】      図２
2004295038.tif 000002
【特許請求の範囲】
【請求項１】
それぞれが、映像表示部、映像描画手段、映像切換え手段、および外部入力に基づいて前記映像描画手段の駆動を制御するとともに、前記映像切換え手段における前記映像描画手段への切換えを制御する制御部を備える、第１および第２のディスプレイを含むマルチディスプレイシステムにおいて、
前記第１のディスプレイの前記映像描画手段は第１および第２の描画機能を備え、
前記第２のディスプレイの前記映像描画手段は前記第１の描画機能を備え、
前記第１および第２のディスプレイにおいて前記各映像描画手段は他方のディスプレイの前記映像切換え手段を介して他方のディスプレイの映像表示部に接続され、
さらに前記各制御部は他方のディスプレイの制御部に描画要求を送信する機能を備えることを特徴とするマルチディスプレイシステム。
【請求項２】
それぞれが、映像表示部、映像描画手段、および外部入力に基づいて前記映像描画手段の駆動を制御する制御部を備える、第１および第２のディスプレイを含むマルチディスプレイシステムにおいて、
前記第１のディスプレイの前記映像描画手段は第１および第２の描画機能を備え、
前記第２のディスプレイの前記映像描画手段は前記第１の描画機能を備え、
前記第１および第２のディスプレイにおいて前記各制御部は、自ディスプレイの前記映像描画手段が他方のディスプレイにより駆動されていれば、他方のディスプレイの前記映像描画手段を駆動して、自ディスプレイの前記映像表示部に表示を行わせることを特徴とするマルチディスプレイシステム。
【請求項３】
前記各ディスプレイの制御部は、前記自ディスプレイの映像描画手段と前記他方のディスプレイの映像描画手段にそれぞれ異なる描画機能を駆動させ、前記各映像描画手段からの映像信号を重畳して前記自ディスプレイの映像表示部に表示させることを特徴とする請求項１または２に記載のマルチディスプレイシステム。
【発明の詳細な説明】
【０００１】
【発明の属する技術分野】
本発明は、マルチディスプレイシステムに関し、特に同じ映像又は異なる映像を各ディスプレイに表示する、マルチディスプレイシステムに関する。
【０００２】
【従来の技術】
車載用マルチディスプレイシステムに関連する従来技術として、特開２０００−３３０５３３号公報（特許文献１）、特開平１０−２７５２９８号公報（特許文献２）および特開平９−２５７４９７号公報（特許文献３）に示すものがある。
【０００３】
上記特許文献１に記載の装置では、テレビ、ナビゲーションシステム、車載カメラからの複数の映像信号のうちいずれか一つを選択して、所望のディスプレイに表示させる技術を開示している。上記特許文献２も同様に、複数の映像信号の内いずれか一つを所望のディスプレイに表示させる技術を開示している。さらに上記特許文献３では、カーナビゲーションシステムにおいて、縮尺の異なる道路地図をそれぞれ別個のディスプレイに表示させる技術を開示している。
【０００４】
これらの文献に開示の技術は、いずれも、ディスプレイ上にテレビ／ビデオ、ＤＶＤ等から実画像を表示させるものであるが、現在一般に使用されている車載用のマルチディスプレイシステムでは、これらの実画像の表示に加え、機器操作のための映像をディスプレイ上に表示させる機能を備えている。この機能の実現のために、各ディスプレイには独自に映像描画回路が設けられている。
【０００５】
図１は、従来のマルチディスプレイシステムを示すブロック図である。図において、１はフロントディスプレイ、２はリアディスプレイである。各ディスプレイ１、２は、映像表示部１１、２１、映像描画回路１２、２２、映像切換回路１３、２３、および映像切換制御のための制御部（以下、ＣＰＵ）１４、２４を備えている。
【０００６】
３は、カーナビゲーションシステムを制御する電子制御ユニット（以下、ナビＥＣＵ）であり、映像描画回路３２を内蔵する。システムのコスト面を考えない場合、ナビＥＣＵ３中の映像描画回路３２は、ディスプレイ１および２の各描画回路１２、２２中に含まれていることが望ましい。しかしながら、ナビゲーションシステムでは、ディスプレイ上にかなり複雑な操作映像を表示する必要上、その映像描画回路３２は必然的に高価となり、各ディスプレイにこれを設けると、システム全体のコストアップにつながる。
【０００７】
したがって、図１に示すように、ナビゲーションシステムのための映像描画回路３２をフロントディスプレイおよびリアディスプレイの映像描画回路１２、２２から独立して別個に設け、フロントディスプレイ１あるいはリアディスプレイ２でナビゲーションシステムのための描画を行う場合は、映像切換え回路１３または２３を使用して映像描画回路３２を各映像表示部１１、２１に接続し、回路３２でナビゲーションシステムのための描画を行わせる構成を取っている。
【０００８】
この結果、フロントディスプレイ１およびリアディスプレイ２の映像描画回路１２、２２はそれぞれナビゲーションシステムのための描画機能を備える必要が無くなり、その分システムが簡略化する。
【０００９】
【特許文献１】
特開２０００−３３０５３３号公報。
【００１０】
【特許文献２】
特開平１０−２７５２９８号公報。
【００１１】
【特許文献３】
特開平９−２５７４９７号公報。
【００１２】
【発明が解決しようとする課題】
ところが図１に示すシステムでは、依然としてシステム全体で描画回路が３個必要であり、描画回路が増加した分、システムのコストアップをもたらす。また、フロントおよびリアディスプレイの両者が駆動されている場合であっても、３個の描画回路のうち少なくとも１個の描画回路は常に使用されることはない。
【００１３】
したがって、例えばディスプレイ１の映像描画回路１２中にナビゲーションシステムのための映像描画回路３２の機能を含ませ、映像描画回路３２を省略する構成も考えられている。この構成では、リアディスプレイ２でナビゲーションシステムのための映像を表示するために、フロントディスプレイ１の映像描画回路１２の出力をリアディスプレイ２の映像表示部２１に接続し、ナビゲーションシステムのための機器操作映像をリアディスプレイ２上に表示させている。
【００１４】
この構成では、フロントディスプレイ１の映像描画回路１２がナビゲーションシステムの描画のために使用されているか、あるいは回路１２がフロントディスプレイ１における描画のために使用されていない場合に限り、リアディスプレイ２でナビゲーションシステムのための描画を行う事ができる。例えば、リアディスプレイ２でフロントディスプレイ１の映像描画回路１２を使用してナビゲーションシステムのための描画を行っている場合、フロントディスプレイではテレビ映像等のための描画機能を実現することが出来ない。これは、フロントディスプレイ１の映像描画回路１２が、リアディスプレイにおけるナビゲーションシステムのための描画を実行するために占領されているからである。
【００１５】
本発明は、従来のマルチディスプレイシステムにおける上記のような欠点を解決する目的でなされたものであって、従来のシステムに比べて構成が簡単でかつ映像表示に特別な制約を持たない、新規なマルチディスプレイシステムを得ることを課題とする。
【００１６】
【課題を解決するための手段】
上記課題を解決するために、本発明のマルチディスプレイシステムは、それぞれが、映像表示部、映像描画手段、映像切換え手段、および外部入力に基づいて前記映像描画手段の駆動を制御するとともに、前記映像切換え手段における前記映像描画手段への切換えを制御する制御部を備える、第１および第２のディスプレイを含むマルチディスプレイシステムにおいて、前記第１のディスプレイの前記映像描画手段は第１および第２の描画機能を備え、前記第２のディスプレイの前記映像描画手段は前記第１の描画機能を備え、前記第１および第２のディスプレイにおいて前記各映像描画手段は他方のディスプレイの前記映像切換え手段を介して他方のディスプレイの映像表示部に接続され、さらに前記各制御部は他方のディスプレイの制御部に描画要求を送信する機能を備えている。
【００１７】
上記構成のマルチディスプレイシステムでは、第２のディスプレイが第１のディスプレイの映像描画回路に第２の映像描画機能の実行を要求し、描画された映像を自機器の表示部で表示した場合且つ第１のディスプレイに第１の映像描画機能１の実行要求があった場合に、第１のディスプレイは自機器の映像表示部を第２のディスプレイの映像描画回路に接続してここで第１の映像描画機能を実行させ、これを自機器の表示部で表示する。
【００１８】
これによって、自身の映像描画回路が第２のディスプレイでの映像表示に使用されている場合であっても、第１のディスプレイは第２のディスプレイの映像描画回路を利用して他の映像描画機能を実行することができる。その結果、最小の映像描画回路を備えることによって、コストパフォーマンスの高いマルチディスプレイシステムを得ることができる。
【００１９】
【発明の実施の形態】
図２は、本発明の第１の実施形態にかかるマルチディスプレイシステムの構成を示すブロック図である。なお、図２以下において、図１に示すものと同じ符号は、同一または類似の構成要素を示し、したがってその重複した説明は省略する。
【００２０】
図２に示すマルチディスプレイシステムにおいて、フロントディスプレイ１およびリアディスプレイ２は、図１に示すシステムと同様に、各ディスプレイが映像表示部１１、２１、映像描画回路１２０、２２０、映像切換え回路１３、２３、制御部（ＣＰＵ）１４、２４を備えている。フロントディスプレイ１の映像描画回路１２０は、ナビゲーションシステム操作映像表示のための描画機能（機能２）と通常のオーディオビデオシステム（テレビを含む）操作映像表示のための描画機能（機能１）との両者を備えており、リアディスプレイの映像描画回路２２０は、通常のオーディオビデオシステム操作映像表示のための描画機能（機能１）のみを備えているとする。
【００２１】
なお、機能２の描画機能としては、ナビゲーションシステムの他に、インターネットのブラウザ映像描画機能、エアコンの操作映像描画機能、車体のメインテナンス情報に関する映像描画機能等がある。なお、機能１の描画機能としては、機能２の描画機能となるもの以外であれば、オーディオビデオシステムに限らなくても良い。
【００２２】
本実施形態にかかるシステムでは、フロントディスプレイ１の描画回路１２０はリアディスプレイ２の映像切換回路２３を介して映像表示部２１と接続されている。さらに、リアディスプレイ２の映像描画回路２２０はフロントディスプレイ１の映像切換回路１３を介して映像表示部１１と接続されている。さらに、フロントディスプレイ１のＣＰＵ１４とリアディスプレイ２のＣＰＵ２４は例えばＬＡＮ通信、専用線またはＢｌｕｅｔｏｏｔｈ等の無線等によって相互に接続され、コマンドの交換が可能とされている。
【００２３】
以下に、図２に示すシステムの動作を、図３のフローチャートを参照して説明する。図３のフローチャートは、オーディオ機器をオンとした場合のフロントディスプレイ１の動作フローに関するものである。
【００２４】
ステップＳ１において、フロントディスプレイ１のＣＰＵ１４にオーディオ機器（例えばＣＤプレーヤ）がオン状態に設定されたことを示す信号が入力されると、ＣＰＵ１４は自機器（フロントディスプレイ）１の映像描画回路１２０が他機器（リアディスプレイ）２で使用中か否かを検出する（ステップＳ２）。ステップＳ２でＹＥＳの場合、即ち他機器２が機能２の描画のために自機器１の描画回路を使用中である場合は、ＣＰＵ１４は他機器２に対してオーディオＯＮの場合の、操作映像の描画を要求する（ステップＳ３）。
【００２５】
この要求は、具体的には、ＣＰＵ１４が他機器２のＣＰＵ２４に対して機能１の描画要求を送信し、ＣＰＵ２４がこの要求にしたがって映像描画回路２２０を駆動することによって実行される。ＣＰＵ１４は同時に、自機器１の映像切換え回路１３を切換えて他機器２の映像描画回路２２０の出力を自機器１の映像表示部１１に接続する。この結果、自機器１の映像描画回路１２０が他機器２によって使用中であっても、自機器１でオーディオＯＮの操作映像の描画および表示が可能となる。
【００２６】
ステップＳ２でＮＯの場合、即ち自機器１の映像描画回路１２０が他機器２によって使用されていない場合は、ＣＰＵ１４は映像描画回路１２０に機能１、即ちオーディオＯＮの操作映像の描画を要求すると共に、映像切換え回路１３を制御して映像描画回路１２０の出力を映像表示部１１に接続し（ステップＳ４）、処理を終了する（ステップＳ５）。これによってオーディオＯＮ時の操作映像が映像表示部１１で表示される。
【００２７】
図４は、本発明の他の実施形態を示すフローチャートである。この実施形態では、図３に示すフローチャートのステップＳ３でＣＰＵ１４が他機器２のＣＰＵ２４に対して描画要求コマンドを発行する際に、自機器１で必要な描画情報を他機器２のＣＰＵ２４に対して通知する機能を備えていることである。したがって、図４のステップＳ３１では、他機器２のＣＰＵ２４に対して描画要求と共に、描画する画面種別、例えばＣＤオーディオ画面、再生ＤＩＳＣ、再生ＴＲＡＣＫ、再生時間等を通知する。これによって、自機器１の映像表示部１１でより詳細な動作状況等が表示可能となり、システム全体の商品品質の改善に繋がる。
【００２８】
図５および６は、本発明のさらに他の実施形態を説明するための図である。この実施形態では、図６に示す様に、映像表示部１１で例えばＴＶ等のＮＴＳＣ画面を表示している場合に、オーディオＯＮ（例えばＣＤ−ＯＮ）の操作映像をオンスクリーン表示する位置および表示サイズを予め固定しておくことを特徴としている。
【００２９】
本実施形態では、この機能を実現するために、ステップＳ３２において、画面種別、例えばオーディオオンスクリーン、再生ＤＩＳＣ、再生ＴＲＡＣＫ、再生時間等を描画要求コマンドと共に他機器２のＣＰＵ２４に送信するが、このとき、オンスクリーンの位置およびサイズに関する情報を描画要求コマンドと共にＣＰＵ２４に送信する。
【００３０】
この結果、例えば、フロントディスプレイとリアディスプレイとのディスプレイサイズが異なっている場合であっても、リアディスプレイの映像描画回路２２０は、フロントディスプレイの予め決定された位置に予め決定されたサイズのオンスクリーン表示用描画を行うことができる。
【００３１】
図７および８は、本発明のさらに他の実施形態を説明するための図である。この実施形態では、図５および７に示す実施形態において、オンスクリーン表示を行う場合のスクリーンの位置およびサイズを任意に設定しうる機能を有していることを特徴とする。
【００３２】
この機能を実現するために、本実施形態では、ステップＳ３３において、任意に設定した表示位置の座標Ｘ１およびＹ１さらにサイズｎ×ｍを他機器２のＣＰＵ２４に対して送信し、画面上のオンスクリーン表示位置およびサイズを特定する。これにより、リアディスプレイ２の映像描画回路２２０は、フロントディスプレイ１の指定された位置に指定されたサイズのオンスクリーン描画を実行する。なお、表示位置やサイズの設定方法は、設定画面を設けて予め位置やサイズを設定しておいても良く、また要求の際にユーザに問い合わすようにしても良い。
【００３３】
図９は、本発明のさらに他の実施形態にかかるマルチディスプレイシステムの動作を示すフローチャートである。本実施形態では、１個のディスプレイシステムで機能１（または機能２）の表示を行っている間に、機能２（または機能１）の表示要求があると、機能１の表示画面上に機能２の操作映像をオンスクリーン表示する機能を備えたマルチディスプレイシステムを提供する。
【００３４】
図９のステップＮ１で、自機器のディスプレイに例えば機能２（ナビゲーションシステムの操作映像描画機能）の描画要求があると、ステップＮ２では、自機器の映像描画回路で機能２の描画が可能か否かを判断する。自機器の映像描画回路が機能２の描画機能を有しておりかつ自機器の映像描画回路が他機器によって使用されていない場合（ステップＮ２のＹＥＳ）、ステップＮ３において、自機器の映像描画回路で機能２の描画を実行する。
【００３５】
一方、ステップＮ２でＮＯの場合、自機器のＣＰＵは他機器の映像描画回路に対して機能２の描画を要求し、これを自機器の表示部において表示する（ステップＮ４）。この状態で自機器のＣＰＵが、機能１、例えばオーディオシステムのための操作映像の描画要求を受け付けると（ステップＮ５）、ＣＰＵは自機器の映像描画回路でこの描画が可能か否かを判定する（ステップＮ６）。ステップＮ６でＹＥＳの場合は、自機器の映像描画回路でオーディオシステムの操作映像を描画し、これを自機器の表示部上に表示されているナビゲーションシステムの操作映像上にオンスクリーン表示する（ステップＮ７）。
【００３６】
ステップＮ６でＮＯの場合、他機器に対して描画要求コマンドを発行し、他機器の映像描画回路でオーディオシステムの操作映像を描画した後、自機器の表示部上に表示されているナビゲーションシステムの操作映像上にオンスクリーン表示する（ステップＮ８）。
【００３７】
図１０は、本発明のさらに他の実施形態にかかるマルチディスプレイシステムの構成を示すブロック図であり、さらに図１１は図１０のシステムの動作フローを示すフローチャートである。この実施形態にかかるシステムでは、ディスプレイが３個ある場合、即ち自機器１に対して複数の他機器２ａおよび２ｂが存在することを特徴としている。本システムでは、システム内に含まれる複数の映像描画回路の使用状態を通信コマンドにより管理し、自機器の映像描画回路が他機器によって使用中は、未使用機器の映像描画回路に対し描画要求をする。
【００３８】
即ち、図１１のフローチャートにおいて、ステップＳ２で自機器１が何れかの他機器によって使用中であることが検出されると、ステップＳ２２で他機器２ａの映像描画回路の駆動状態が検出される。今、他機器２ａの映像描画回路が使用されず空いている場合（ステップＳ２２でＹＥＳ）、ステップＳ３４で他機器２ａに対して描画要求コマンドが発行される。一方、ステップＳ２２でＮＯの場合、ステップＳ３５で他機器２ｂに対してステップＳ３４と同様にして描画要求コマンドが発行される。
【００３９】
以上に示した各フローチャートは、フロントディスプレイにオーディオＯＮ信号が入力された場合の、フロントディスプレイにおけるＣＰＵ１４の動作手順を示したものである。しかしながら、フロントディスプレイおよびリアディスプレイとも、ユーザの選択に基づいてオーディオＯＮ信号、ナビゲーションシステムのＯＮ信号等が任意に入力されるものである。
【００４０】
以下に、図２に示すマルチディスプレイシステムの全体の動作フローについて、図１２および１３を参照して説明する。
【００４１】
図１２は、フロントディスプレイ１のＣＰＵ１４における動作フローを示す図である。まず、ステップＰ１で表示のための外部信号がＣＰＵ１４に入力されると、ＣＰＵ１４は自機器１の映像描画回路１２０がリアディスプレイ（他機器）２で使用中であるか否かを判別する（ステップＰ２）。ステップＰ２においてＮＯの場合、ＣＰＵ１４は自機器の映像描画回路１２０に、入力された信号に対応する描画要求（機能１または機能２）を送出する（ステップＰ３）。同時に自機器の映像切換え回路１３を切換えて、映像描画回路１２０の出力を映像表示部１１に接続し、描画された映像を表示する（ステップＰ４）。その後、処理を終了する（ステップＰ５）。
【００４２】
ステップＰ２でＹＥＳの場合、ステップＰ６で入力された表示要求が機能２に関するものであるか否かが判定される。このステップでＹＥＳの場合、ＣＰＵ１４はステップＰ７で自機器の映像切換え回路１３を制御して、映像描画回路１２０を表示部１１に接続する。今、ステップＰ２において、自機器の映像描画回路１２０がリアディスプレイ２で使用中であることが確認されおり、映像描画回路１２０は機能２の描画を実行している。したがって、ステップＰ７で表示部１１が映像描画回路１２０に接続されると、表示部１１には機能２が表示されることになる（ステップＰ８）。
【００４３】
ステップＰ６でＮＯの場合、ＣＰＵ１４はリアディスプレイ２のＣＰＵ２４にコマンドを送ってリアディスプレイ２の映像描画回路に機能１の描画要求を行う（ステップＰ９）。次に、自機器の映像切換え回路１３を制御して、リアディスプレイの映像描画回路２２０を自機器の映像表示部１１に接続する（ステップＰ１０）。これによって、自機器１の映像描画回路１２０がリアディスプレイによって使用されている場合であっても、自機器の映像表示部１１で機能１の表示が可能となる（ステップＰ１１）。
【００４４】
次に、図１３を参照してリアディスプレイにおけるＣＰＵ２４の動作フローについて説明する。
【００４５】
ＣＰＵ２４に何らかの表示を要求する信号が入力されると（ステップＰ２０）、ＣＰＵ２４は入力された信号が機能２に関するものか否かを判定する（ステップＰ２１）。ステップＰ２１でＮＯの場合、ＣＰＵ２４は自機器２の映像描画回路２２０に機能１の描画要求を行い（ステップＰ２２）、映像切換え回路２３を制御して映像描画回路２２０の出力を映像表示部２１に接続して、機能１の表示を行わせる（ステップＰ２３）。
【００４６】
ステップＰ２１でＹＥＳの場合、ＣＰＵ２４はフロントディスプレイ（他機器）１の映像描画回路１２０が機能２の描画中であるか否かを判定する（ステップＰ２４）。映像描画回路１２０が機能２の描画中である場合（ステップＰ２４でＹＥＳ）は、ステップＰ２５で表示部２１をフロントディスプレイ１の映像描画回路１２０に接続する。これによって自機器（リアディスプレイ）の表示部２１で機能２の表示が行われる。
【００４７】
ステップＰ２４でＮＯの場合は、フロントディスプレイの映像描画回路１２０が機能１の描画を行っているものと考えられるので、ステップＰ２７で、リアディスプレイ２のＣＰＵ２４はフロントディスプレイ１のＣＰＵ１４に描画回路１２０の駆動信号の転送を要求し、ステップＰ２８で、転送された駆動信号にしたがって描画回路２２０を駆動し機能１の描画を行わせる。同時に、リアディスプレイのＣＰＵ２４は、フロントディスプレイ１のＣＰＵ１４を介して映像描画回路１２０に機能２の描画を要求する。
【００４８】
次のステップＰ２９において、各ＣＰＵ１４、２４は、各映像切換え回路１３、２３を制御してフロントディスプレイ１の映像表示部１１をリアディスプレイの映像描画回路２２０に、リアディスプレイ２の映像表示部２１をフロントディスプレイの映像描画回路１２０にそれぞれ接続し、映像表示部２１で機能２の表示を、映像表示部１１で機能１の表示を行わせ（ステップＰ３０）、処理を終了する（ステップＰ３１）。
【００４９】
この結果、リアディスプレイの映像描画回路が機能２の描画機能を持たない場合であっても、フロントディスプレイの映像描画回路が有する機能２の描画機能を利用して、リアディスプレイは機能２の表示を行う事ができる。この場合、フロントディスプレイにおける機能１および機能２の表示機能は、リアディスプレイの割り込みにかかわらず、損なわれることは無い。
【００５０】
【発明の効果】
以上、種々の実施の形態を示して説明したように、本発明のマルチディスプレイシステムでは、必要最小限の映像描画回路で各ディスプレイで等しく複雑な描画機能を実現できるので、システム全体のコストダウンが可能となる。
【図面の簡単な説明】
【図１】従来のマルチディスプレイシステムの構成を示すブロック図。
【図２】本発明の第１の実施形態にかかるマルチディスプレイシステムの構成を示すブロック図。
【図３】図２に示すシステムの動作説明のためのフローチャート。
【図４】図２に示すシステムの動作説明のためのフローチャート。
【図５】図２に示すシステムの動作説明のためのフローチャート。
【図６】図２に示すシステムの動作説明のための表示の一例を示す図。
【図７】図２に示すシステムの動作説明のためのフローチャート。
【図８】図２に示すシステムの動作説明のための表示の一例を示す図。
【図９】本発明の、他の実施形態の説明に供するためのフローチャート。
【図１０】本発明の他の実施形態にかかるマルチディスプレイシステムの構成を示すブロック図。
【図１１】図１０に示すマルチディスプレイシステムの動作説明のためのフローチャート。
【図１２】図２に示すシステムに含まれるフロントディスプレイの動作説明のためのフローチャート。
【図１３】図２に示すシステムに含まれるリアディスプレイの動作説明のためのフローチャート。
【符号の説明】
１…フロントディスプレイ
２…リアディスプレイ
１１…映像表示部
１３…映像切換え回路
１４…制御部（ＣＰＵ）
２１…映像表示部
２３…映像切換え回路
２４…制御部（ＣＰＵ）
１２０…映像描画回路
２２０…映像描画回路
【図１】
2004295038.tif 000003
【図２】
2004295038.tif 000004
【図３】
2004295038.tif 000005
【図４】
2004295038.tif 000006
【図５】
2004295038.tif 000007
【図６】
2004295038.tif 000008
【図７】
2004295038.tif 000009
【図８】
2004295038.tif 000010
【図９】
2004295038.tif 000011
【図１０】
2004295038.tif 000012
【図１１】
2004295038.tif 000013
【図１２】
2004295038.tif 000014
【図１３】
2004295038.tif 000015